(57)【要約】 【課題】冷却性能を高める等の効果を有する改良型冷却モジュールホルダを提供する。【解決手段】本発明の改良型冷却モジュールホルダは、本体２１上には冷却ファン３０に対応する通気孔２３が形成され、少なくとも１つの固定羽根２６が通気孔２３の内側リムから内方に伸延し、冷却ファン３０の駆動によって気流が固定羽根２６を通過することにより、風圧が固定羽根２６の接線方向に沿って形成され、固定羽根２６は、気流の乱れによって引き起こされる風圧損失を防止することができるが一方で、この風圧を利用して冷却ファン３０の冷却性能を高める。【選択図】図２
2007150222.tif 000002
【特許請求の範囲】
【請求項１】
２側面にそれぞれ冷却ファンとヒートシンクを取り付けて冷却モジュールを形成し、前記冷却ファンに対応する通気孔と前記通気孔の内側リムから内方に伸延する複数の固定羽根を有する本体を具備することを特徴とする改良型冷却モジュールホルダ。
【請求項２】
前記複数の固定羽根は傾斜角を有する板からなることを特徴とする請求項１記載の改良型冷却モジュールホルダ。
【請求項３】
前記複数の固定羽根は前記冷却ファンの羽根パターンと同様な羽根パターンによって形成されていることを特徴とする請求項１記載の改良型冷却モジュールホルダ。
【請求項４】
前記複数の固定羽根の複数の内側は固定リングに連結されていることを特徴とする請求項１記載の改良型冷却モジュールホルダ。
【請求項５】
複数の脚部が前記本体の周辺から前記ヒートシンクに設けられた前記側部に向けて伸延し、加熱部材の頂部の所定位置で前記冷却モジュールに組み付けられることを特徴とする請求項１記載の改良型冷却モジュールホルダ。
【発明の詳細な説明】
【技術分野】
【０００１】
本発明は、電子製品のＣＰＵに取り付けられる改良型冷却モジュールホルダであって、圧力を増大し気流を整流し騒音を低減しかつ冷却性能を高める等の多数の効果を有する実際的構造を具備する改良型冷却モジュールホルダに関する。
【背景技術】
【０００２】
図１に示すように、電子製品のＣＰＵに取り付けられる冷却モジュールは、ヒートシンク１０とホルダ２０と冷却ファン３０とを具備する。ヒートシンク１０は加熱部材に直接的に接触しており、加熱部材の熱を吸収する。冷却ファン３０はヒートシンク１０の頂部にホルダ２０によって固定され熱を消散する。
【０００３】
ヒートシンク１０は中央熱伝導体１１と中央熱伝導体１１の周辺から外方に伸延する複数の冷却フィン１２を具備する。
【０００４】
ホルダ２０は本体２１を具備し、本体２１には冷却ファン３０を組み付けかつ固定するためのファン位置決め用スロットが形成されている。本体には更に冷却ファン３０に対応する通気孔２３が形成されている。複数の位置決め部材２４が通気孔２３の内側リムから伸延しねじによってヒートシンクに係合され、冷却モジュールを形成している。更に、複数の脚部２５が本体２１の周辺部から下方に伸延し、加熱部材の頂部の所定位置で冷却モジュールを組み付けている。
【０００５】
その結果、ヒートシンクとの直接的接触によって加熱部材から熱を吸収し、熱をヒートシンクの周りに配置した冷却フィン１２に向けて上方に拡散することができる一方、冷却ファン３０は迅速に熱を消散するための気流を同時に発生させるために用いられる。
【０００６】
しかし、ヒートシンク１０によって吸収された熱が底部から上昇しゆっくりと外部環境に拡散すると、中央熱伝導体１１及び冷却フィンの下半部が高温になると共に冷却フィンの上半分が低温になる異温現象を生じる。
【特許文献１】特開２００５−２４３９２５号公報
【発明の開示】
【発明が解決しようとする課題】
【０００７】
本発明は電流仕様や周辺構造を変えることなく、冷却性能を高め、上記の異温冷却フィンの問題を解決することを目的とする。
【課題を解決するための手段】
【０００８】
上記の課題を解決するために、本発明は、下記の特徴を有する改良型冷却モジュールホルダを提供する。
１．請求項１に記載の改良型冷却モジュールホルダは、２側面にそれぞれ冷却ファンとヒートシンクを取り付けて冷却モジュールを形成し、前記冷却ファンに対応する通気孔と前記通気孔の内側リムから内方に伸延する複数の固定羽根を有する本体を具備することを特徴とする。
２．請求項２に記載の改良型冷却モジュールホルダは、請求項１の場合において、
前記複数の固定羽根は傾斜角を有する板からなることを特徴とする。
３．請求項３に記載の改良型冷却モジュールホルダは、請求項１の場合において、
前記複数の固定羽根は前記冷却ファンの羽根パターンと同様な羽根パターンによって形成されていることを特徴とする。
４．請求項４に記載の改良型冷却モジュールホルダは、請求項１の場合において、
前記複数の固定羽根の複数の内側は固定リングに連結されていることを特徴とする。
５．請求項５に記載の改良型冷却モジュールホルダは、請求項１の場合において、
複数の脚部が前記本体の周辺から前記ヒートシンクに設けられた前記側部に向けて伸延し、加熱部材の頂部の所定位置で前記冷却モジュールに組み付けられることを特徴とする。
【発明の効果】
【０００９】
上記により、冷却ファンの風量と風圧を増加するのみで冷却性能を高め、中央熱伝導体及び冷却フィンの下半部が過熱されるという問題に対してより迅速かつ効率的な熱消散効果を得ることができる。
【発明を実施するための最良の形態】
【００１０】
本発明は、改良型冷却モジュールホルダであって、ヒートシンク１０と、ホルダ２０と、冷却ファン３０とを具備する改良型冷却モジュールホルダに関する。ヒートシンク１０は加熱部材に直接的に接触しており、加熱部材の熱を吸収する。冷却ファン３０は、ヒートシンク１０の頂部にホルダ２０によって固定され熱を消散する。２つの好適な実施例を、以下、例をあげて説明する。
【００１１】
図２は本発明の第１の好適な実施例を例示する。ヒートシンク１０は中央熱伝導体１１と、中央熱伝導体１１の周辺から外方に伸延する複数の冷却フィン１２を具備する。
【００１２】
ホルダ２０は本体２１を具備し、同本体２１の頂部側には、冷却ファン３０を組み付けかつ固定するためのファン位置決め用スロット２２と、冷却ファン３０に対応する通気孔２３が形成されている。複数の位置決め部材２４が通気孔２３の内側リムから伸延し、ねじによってヒートシンクに係合されて冷却モジュールを形成している。更に、複数の脚部２５が本体２１の周辺部から下方に伸延し、加熱部材の頂部の所定位置で、冷却モジュールを組み付けている。
【００１３】
さらに、複数の固定羽根２６はホルダ２０の通気孔の内側リムから内方に伸延している。固定羽根は傾斜角を有する板からなり、冷却ファン３０の羽根パターンと同様な羽根パターンによって形成されている。
【００１４】
図２、図３、および図４を併せて参照して説明すると、冷却ファン３０の駆動によって気流が固定羽根２６を通過すると、固定羽根２６は気流を整流する機能を果たし、圧力によって生じる共振から発生する騒音を緩和させる。さらに、風圧が固定羽根２６の接線方向に沿って形成され、固定羽根２６は、気流の乱れによって引き起こされる風圧損失を防止することができるが一方で、この風圧を利用して冷却ファン３０の冷却性能を高める。ヒートシンク１０によって吸収された熱は急速に消散し、迅速かつより効率的な冷却効果を得ることができる。
【００１５】
図５および図６は本発明の第２の好適な実施例を図示している。ホルダ２０の通気孔２３の内側リムには、内方に伸延する複数の固定羽根２７が取り付けられている。固定羽根２７は傾斜角を有する板からなり、冷却ファン３０の羽根パターンと同様な羽根パターンによって形成されている。第２の好適な実施例の固定羽根２７は、第１の好適な実施例の固定羽根よりも長く形成されており、固定羽根２７の内側にはそれぞれ固定リング２８が連結されている。
【００１６】
図５、図６、および図７を併せて参照して説明すると、冷却ファン３０の駆動によって気流が固定羽根２７を通過すると、固定羽根２７は同様に気流を整流する機能を果たし、圧力によって生じる共振から発生する騒音を緩和させる。固定リング２８は、それぞれの固定羽根２７が十分な強度を持つように設計され、風圧効果による固定羽根の共振や振動の発生を防止する。さらに、風圧による突風が接線方向に沿って付加的に形成される。また、気流の乱れにより生じる風圧損失を防止できるとともに他方で、冷却ファン３０の冷却性能を風圧によって向上でき、ヒートシンク１０によって吸収された熱を急速に消散して、迅速かつより効率的な冷却効果を得ることができる。
【００１７】
要約すると、本発明は、ホルダの通気孔の内側リムから伸延する複数の固定羽根を利用して、第１には気流を整流して風圧によって生じる共振から発生する騒音を軽減し、第２には風圧による突風を形成し、気流の乱れによって生じる風圧損失を防止することにある。さらに、全冷却性能を風圧を利用して高めることができ、迅速かつより効率的な冷却効果を実現できる。したがって、本発明は、新規性および進歩性のみならず、産業上の利用性を有するものである。
【００１８】
本発明を現時点で最も実用上好ましいと思われる実施例を参照して説明してきたが、本発明は開示された実施例に限定されるものではないことは理解されるべきである。むしろ、本発明は、添付の請求項の要旨及び範囲内でなされる変容例や同様な装置も含むものとし、このような変容例や同様な構造を含むように広く解釈されるものである。
【図面の簡単な説明】
【００１９】
【図１】冷却モジュール構造の従来構造を示す分解図である。
【図２】本発明の第１の好適な実施例を示す分解図である。
【図３】本発明の第１の好適な実施例を示す断面図である。
【図４】本発明の第１の好適な実施例を示す摸式平面図である。
【図５】本発明の第２の好適な実施例を示す分解図である。
【図６】本発明の第２の好適な実施例を示す断面図である。
【図７】本発明の第２の好適な実施例を示す摸式平面図である。
【符号の説明】
【００２０】
１０  ヒートシンク
１１  中央熱伝導体
１２  冷却フィン
２０  ホルダ
２１  本体
２２  ファン位置決め用スロット
２３  通気孔
２４  位置決め部材
２５  脚部
２６、２７  固定羽根
２８  固定リング
３０  冷却ファン
【図１】
2007150222.tif 000003
【図２】
2007150222.tif 000004
【図３】
2007150222.tif 000005
【図４】
2007150222.tif 000006
【図５】
2007150222.tif 000007
【図６】
2007150222.tif 000008
【図７】
2007150222.tif 000009